(57)【特許請求の範囲】
【請求項１】
水平方向に設置され長方形の箱状をなす窪み部の幅方向両側に溝条が一対形成された側壁型枠部と、
側壁型枠部の底面から下駄の刃状に先細り状態で垂下し、前記窪み部と連通する空隙で形成された一対の連結部型枠部とを備えた組立式立体型庭園部材用型枠であり、
該組立式立体型庭園部材用型枠は、可塑性樹脂を成型して形成され、前記連結部型枠部と側壁型枠部とにコンクリート部材が充填可能とされたことを特徴とする組立式立体型庭園部材用型枠。
【発明の詳細な説明】
【０００１】
【発明の属する技術分野】
本発明は、組立式立体型庭園部材用の型枠に関するものである。
【０００２】
【従来の技術】
近年において、ガーデニングがブームとなっており、自宅の庭先、駐車場内あるいはマンションのベランダ内等に花壇や庭園を設けて植木や花を植えたり、あるいは季節野菜を栽培したりして簡易な家庭用庭園あるいは家庭用菜園を形成することが多々みられる。
【０００３】
しかしながら、これら簡易な家庭用庭園あるいは家庭用菜園の形成は単なる従来からある例えばプラスチック製の長方形型をなす入れ物に土を入れ、その中に木や花を植え、あるいはその中で野菜等を栽培する程度にすぎないものであった。
しかし前記プラスチック製の入れ物は永年の使用により破損しやすく、強度的にも脆弱であるため、積み重ねて立体的にすることが出来ず、スペースをとらずに最大限のガーデニングが楽しめる、すなわち立体的な構造にして多くの木や花を植えたり、野菜等を栽培できる簡易な家庭用庭園あるいは家庭用菜園を提供することが出来ず、このような課題を解決した簡易な家庭用庭園あるいは家庭用菜園の提供が要望されていた。
【０００４】
【発明が解決しようとする課題】
本発明はかかる従来の要望に鑑みてなされたものであり、立体的に組み立てて、最小限のスペースで最大限の庭園空間あるいは菜園空間が楽しめる立体型の組立式庭園を安価にかつ容易に作れる組立式立体型庭園部材用の型枠を提供することを目的とするものである。
【０００５】
【課題を解決するための手段】
本発明による組立式立体型庭園部材用型枠は、
水平方向に設置され長方形の箱状をなす窪み部の幅方向両側に溝条が一対形成された側壁型枠部と、
側壁型枠部の底面から下駄の刃状に先細り状態で垂下し、前記窪み部と連通する空隙で形成された一対の連結部型枠部とを備えた組立式立体型庭園部材用型枠であり、
該組立式立体型庭園部材用型枠は、可塑性樹脂を成型して形成され、前記連結部型枠部と側壁型枠部とにコンクリート部材が充填可能とされたことを特徴とするものである。
【０００６】
【発明の実施の形態】
以下、図に基づいて本発明に係る組立式立体型庭園部材用型枠の一実施の態様について説明する。
図において、符号１は組立式立体型庭園部材用型枠を示す。
該組立式立体型庭園部材用型枠１は図から理解されるように、側壁型枠部２と一対の連結部型枠部３，３とを備えて構成される。
【０００７】
ここで、側壁型枠部２は水平方向に向けて設置された長方形の箱状をなす窪み部４を有して構成され、該窪み部４を形成する四方端部の立ち上がり片９は比較的厚みを薄くして形成されている。
さらにこの窪み部４の幅方向両側には前記窪み部４の底面よりさらに凹んで形成された溝条５，５が設けられている。
【０００８】
側壁型枠部２の底面からは一対の連結部型枠部３，３が下駄の刃状に接続されて設けられている。
すなわち、側壁型枠部２の底面から先細り状態をなして垂下し、前記窪み部４内の空間と連通する下駄の刃状の空隙が設けられて一対の連結部型枠部３，３が構成される。
【０００９】
しかして、本発明による組立式立体型庭園部材用型枠１は可塑性樹脂部材で成型される。
例えば、熱可塑性樹脂ではポリエチレン、ポリプロピレン、ポリスチレン、塩化ビニル、アクリル樹脂、ポリエステル、熱可塑性樹脂を含むＦＲＰ等が例示され、熱硬化性樹脂では、フェノール樹脂、不飽和ポリエステル樹脂を含むＦＲＰ、ケイ素樹脂等があげられる。また、熱可塑性樹脂と熱硬化性樹脂との混合物で構成しても構わない。
【００１０】
すなわち、組立式立体型庭園部材用型枠１は前記の可塑性樹脂部材を所定の外側金型内に入れ、該外側金型内に内側金型を嵌入して押圧することにより簡単に成型することが出来る。
このように、後述するコンクリート製品の型枠を可塑性樹脂部材で成型したことは本発明の大きな特徴の一つとなっている。
【００１１】
そして、可塑性樹脂部材で成型した組立式立体型庭園部材用型枠１を金型から取り出し、この組立式立体型庭園部材用型枠１内にＧＲＣ等のコンクリート部材を流し込み、もって図に示す組立式庭園ユニット６を作製するのである。
成型した組立式立体型庭園部材用型枠１を大量に用意し、それを工場内等で図に示すように設置して下駄の如く並べ、その中にＧＲＣ等のコンクリート部材を次々と流し込み、充填するのである。
【００１２】
尚、前記コンクリート部材の流し込みに際しては窪み部４を形成する各立ち上がり片９の上端まで目一杯充填するものとする。
ここで、可塑性樹脂部材で成型された組立式立体型庭園部材用型枠１からの組立式庭園ユニット６の脱型方法について何ら限定されず、充填したコンクリート部材を所定期間養生させた後、固化したら前記組立式立体型庭園部材用型枠１を破りながら剥がし組立式立体型庭園部材６を取り出すことで構わない。
【００１３】
しかして、この組立式庭園ユニット６はＧＲＣ等のコンクリート部材により略長方形状の平板をなす側壁部７と、この側壁部７より下駄の刃状に突設する一対の連結片８，８とを有して形成される。
ＧＲＣ等のコンクリート部材で形成されるため組立式庭園部材６の作製につき軽量でしかも耐久性がある製品としうる。
【００１４】
尚、組立式立体型庭園部材用型枠１から取り出した当初は、側壁部７の表面には何らの仕上げもしておらず、いわゆるコンクリート粗面のままである。
すなわち、側壁部７の表面にあたるところは窪み部４の開口部分で型枠１の内面に接しないところだからである。
よって、その側壁部７の表面に相当する箇所に各種の仕上げを施し、化粧部を形成する。すなわち、最終製品として販売する際には、表面仕上げをして販売することになる。
【００１５】
この化粧部による表面仕上げの方法についても、何ら限定されるものではなく、塗装仕上げ仕上げで化粧部を形成しても構わないし、単体であらかじめ形成した化粧部を側壁部７の表面に添着したタイプでも構わない。
この化粧部の具体例としては、木目調のものにしたり、レンガ調にしたり、草木をあしらったものにしたりすることが考えられる。
【００１６】
次いで、作製した組立式庭園ユニット６を一対用意し、かつそれら組立式庭園ユニット６の一対の連結片８，８対向させ、対向させた連結片８，８を接続具１０で連結する。
ここで、一対の連結片８，８には図示するように透孔１４が穿設されており、図３に示すように平板状の接続具１０を対向させた連結片８，８に跨げ、例えばボルトを図５に示すように挿通してナットで締結して連結する。
【００１７】
ここで、図４では他の実施例による接続具を示し、該接続具１０は断面略Ｈ状をなし、それぞれの凹部１１，１１に対向する連結片８，８を嵌入し、ボルト等の取り付け具で固定し、連結することとなる。
しかし、接続具１０についても上記のものに決して限定されない。
このように組立、固定された組立式庭園ユニット６，６及び底板１２でボックス状の植え込み部を有する組立式庭園が形成されるのである。
【００１８】
次に、組み立てた組立式庭園部材における
底板１２の固定方法につき述べる。図から理解されるように、組立式庭園ユニット６の幅方向一端部に係止条１３が形成されるものとなり、組み立てた後、この係止条１３上に底板１２を載置することにより容易に底板１２を固定できる。このような組み立てであれば、何ら底板１２の固定に固定具を必要としない。
【００１９】
ところでこの係止条１３は組立式立体型庭園部材用型枠１の窪み部４幅方法両端に設けられた溝条５，５で側壁部７と一体的に形成することが出来る。
【００２０】
【発明の効果】
かくして本発明は以上の構成よりなる。
そして、本発明による組立式立体型庭園用型枠であれば、立体的に組み立てられて、最小限のスペースで最大限の庭園空間あるいは菜園空間が楽しめる立体型の組立式庭園を安価にかつ大量に製造することが出来る。
【図面の簡単な説明】
【図１】  本発明の構成説明図（その１）である。
【図２】  本発明の構成説明図（その２）である。
【図３】  本発明により製造された組立式庭園ユニットの構成を説明する斜視図（その１）である。
【図４】  本発明により製造された組立式庭園ユニットの構成を説明する斜視図（その２）である。
【図５】  本発明における接続具と連結片の連結状態を示す説明図である。
【符号の説明】
１    組立式立体型庭園部材用型枠
２    側壁型枠部
３    連結部型枠部
４    窪み部
５    溝条
６    組立式庭園ユニット
７    側壁部
８    連結片
９    立ち上がり片
１０  接続具
１１  凹部
１２  底板
１３  係止条
１４  透孔
【図１】
0004197787.tif 000002
【図２】
0004197787.tif 000003
【図３】
0004197787.tif 000004
【図４】
0004197787.tif 000005
【図５】
0004197787.tif 000006